(57)【要約】【課題】コンパクトでかつ大きい力を加えることが可能な鉗子を提供する。【解決手段】鉗子１は、固定先端部２に対して可動先端部３が開閉される鉗子であって、固定部４を有する固定部４上で、可動先端部３が開状態となる第１位置と閉状態となる第２位置との間で移動される移動部５と、可動先端部３を有し、移動部５の移動により回動する回動部７とを備える。移動部５は、その移動により回動部７の回動を生じさせる円弧形状を有する移動部側凸条１２を備え、回動部７は、移動部側凸条１２に嵌合し、移動部５の移動に伴って移動部側凸条１２と相互に摺動する回動部側凹条１５を有する。【選択図】図１
2018089076.tif 000002
【特許請求の範囲】
【請求項１】
固定先端部に対して可動先端部が開閉される鉗子であって、
前記固定先端部を有する固定部と、
前記固定先端部の後方において前記固定部により支持される回動軸と、
前記固定部上で、前記可動先端部が開状態となる第１位置と該可動先端部が閉状態となる該第１位置よりも先端側の第２位置との間で移動される移動部と、
前記可動先端部を有し、該可動先端部の後方において前記回動軸が貫通しており、前記移動部の移動により該回動軸を中心として回動する回動部とを備え、
前記移動部は、該移動部の移動により前記回動部の回動を生じさせるための前記回動軸に平行な方向に凸み又は凹んだ円弧形状を有する移動部側凸条又は移動部側凹条を先端部に備え、
前記円弧形状の中心は、前記移動部側凸条又は前記移動部側凹条を挟んで前記回動軸と反対側に位置し、
前記回動部は、前記移動部側凸条又は前記移動部側凹条に嵌合し、前記移動部の移動に伴って該移動部側凸条又は該移動部側凹条と相互に摺動する回動部側凹条又は回動部側凸条を前記可動先端部の後方に有することを特徴とする鉗子。
【請求項２】
前記回動部は、前記可動先端部の後方に設けられ、前記回動軸が貫通した後端板を有し、
前記後端板は、その両面又は片面に前記回動部側凹条又は前記回動部側凸条を有し、
前記移動部の先端部には、先端方向に開放した凹部、又は前記片面に対向する片面を有する先端板が設けられ、
前記凹部の両側の内壁には、前記後端板の両面の回動部側凹条又は回動部側凸条に対応する前記移動部側凸条又は前記移動部側凹条が設けられ、又は前記先端板の片面には、前記後端板の片面の回動部側凹条又は回動部側凸条に対応する前記移動部側凸条又は前記移動部側凹条が設けられることを特徴とする請求項１に記載の鉗子。
【請求項３】
前記固定部は、前記移動部を前記第１位置と前記第２位置との間で移動し得るように案内する案内部を備え、
前記案内部は、該固定部の長さ方向に沿って設けられて断面がＵ字状の案内溝を有し、
前記移動部は、前記案内溝内に収容されて該案内溝に沿って案内され、
前記案内溝は、前端が先端方向に開放されて、前記固定先端部における前記可動先端部側の面に臨んでおり、
前記固定部は、前記回動軸の両端を支持する両側壁を有し、
前記案内溝の前端部は、前記後端板を収容する収容部を前記両側壁とともに構成していることを特徴とする請求項２に記載の鉗子。
【請求項４】
前記可動先端部が閉じられた状態において、前記回動軸及び前記移動部の移動方向に垂直な方向に見て、前後方向における前記回動軸の存在範囲は、前記回動部側凹条又は回動部側凸条の後端側の存在範囲内に含まれることを特徴とする請求項１〜３のいずれか１項に記載の鉗子。
【発明の詳細な説明】
【技術分野】
【０００１】
本発明は、固定先端部に対して可動先端部が開閉される鉗子に関する。
【背景技術】
【０００２】
従来、固定先端部に対して可動先端部を開閉させながら使用される鉗子が知られている（例えば、特許文献１参照）。特許文献１に記載された鉗子では、長尺の棒状本体の先端に設けられた把持部と、棒状本体の後端側に設けられて把持部の開閉を制御するための操作部とを有する。
【０００３】
この把持部は、一対の把持部材を有しており、一方の把持部材は棒状本体に固定されて上記の固定先端部として機能し、他方の把持部材が上記の可動先端部として開閉動作を行うように構成されている。該他方の把持部材は、その後端部の下部において、棒状本体の先端部下方に設けられた回動軸により回動可能に支持されている。
【０００４】
さらに、該他方の把持部材の後端部の上部には長孔が設けられ、この長孔には回動ピンが挿通されており、この回動ピンによって該他方の把持部材が駆動部材の先端に対して回動可能に接続されている。
【０００５】
駆動部材がその最先端側位置にある場合には、２つの把持部材はその対向する把持面同士を互いに接触させて閉じているが、駆動部材が後端側に移動すると、該他方の把持部材の後端部上部に設けた長孔に挿通された回動ピンが長孔の後端側内周面を後方に押圧する。これにより、該他方の把持部材が回動して開く。
【先行技術文献】
【特許文献】
【０００６】
【特許文献１】実用新案登録第３１１０３３４号公報
【発明の概要】
【発明が解決しようとする課題】
【０００７】
しかしながら、上記特許文献１の鉗子によれば、回動する方の把持部材は、棒状本体及び駆動部材の双方に対してそれぞれ回動軸及び回動ピンにより連結されている。このため、この把持部材に大きい力を加えて把持部材を閉じる必要がある場合、大きな力が加えられて、回動軸又は回動ピンのいずれかが損傷するおそれがある。
【０００８】
一方、このような事態を回避するために、上記回動軸又は回動ピンの径を大きくすると、鉗子が太くなって狭い術野での手技に不都合が生じる場合がある。したがって、上記特許文献１の鉗子は、関節鏡下で行われる半月板切除術のような、切除に大きい力を要し、かつ狭い術野で行われる手術には適していない。
【０００９】
本発明の目的は、かかる従来技術の問題点に鑑み、コンパクトでかつ大きい力を加えることが可能な鉗子を提供することにある。
【課題を解決するための手段】
【００１０】
第１発明に係る鉗子は、
固定先端部に対して可動先端部が開閉される鉗子であって、
前記固定先端部を有する固定部と、
前記固定先端部の後方において前記固定部により支持される回動軸と、
前記固定部上で、前記可動先端部が開状態となる第１位置と該可動先端部が閉状態となる該第１位置よりも先端側の第２位置との間で移動される移動部と、
前記可動先端部を有し、該可動先端部の後方において前記回動軸が貫通しており、前記移動部の移動により該回動軸を中心として回動する回動部とを備え、
前記移動部は、該移動部の移動により前記回動部の回動を生じさせるための前記回動軸に平行な方向に凸み又は凹んだ円弧形状を有する移動部側凸条又は移動部側凹条を先端部に備え、
前記円弧形状の中心は、前記移動部側凸条又は前記移動部側凹条を挟んで前記回動軸と反対側に位置し、
前記回動部は、前記移動部側凸条又は前記移動部側凹条に嵌合し、前記移動部の移動に伴って該移動部側凸条又は該移動部側凹条と相互に摺動する回動部側凹条又は回動部側凸条を前記可動先端部の後方に有することを特徴とする。
【００１１】
第１発明によれば、移動部を移動させる力が、円弧形状である移動部側凸条又は凹条及び回動部側凹条又は凸条を介して、回動部を回動させるための力として回動部に伝達されることにより、回動部が回動され、可動先端部が開閉される。このため、従来のように移動部及び回動部間の力の伝達が回動ピンを介して行われる場合に比べて、力を伝達する凸条及び凹条部分の部材に大きい力の負荷を加えることなく、より大きい力を伝達することができる。
【００１２】
また、移動部側凸条又は凹条及び回動部側凹条又は凸条の円弧形状の中心は、その凸条及び凹条を挟んで、回動軸と反対側に位置する。したがって、上述のより大きい力の伝達を達成しながら、回動軸から移動部側凸条又は凹条及び回動部側凹条又は凸条に向かう方向の寸法を、コンパクトに維持することができる。これにより、回動軸の径をより大きくし、該回動軸の強度や耐久性を向上させることもできる。
【００１３】
したがって、大きい把持力が要求される鉗子や、大きい力で切断を行うことが必要で、かつ狭い術野でも支障なく使用できるコンパクトで大きい力を加えることが可能な鉗子を提供することができる。
【００１４】
第２発明に係る鉗子は、第１発明において、
前記回動部は、前記可動先端部の後方に設けられ、前記回動軸が貫通した後端板を有し、
前記後端板は、その両面又は片面に前記回動部側凹条又は前記回動部側凸条を有し、
前記移動部の先端部には、先端方向に開放した凹部、又は前記片面に対向する片面を有する先端板が設けられ、
前記凹部の両側の内壁には、前記後端板の両面の回動部側凹条又は回動部側凸条に対応する前記移動部側凸条又は前記移動部側凹条が設けられ、又は前記先端板の片面には、前記後端板の片面の回動部側凹条又は回動部側凸条に対応する前記移動部側凸条又は前記移動部側凹条が設けられることを特徴とする。
【００１５】
第２発明によれば、後端板が両面に回動部側凹条又は凸条を有する場合には、回動部を回動させるためのより大きい力を支障なく移動部から回動部に伝達することができる。一方、後端板が片面にのみ回動部側凹条又は凸条を有する場合には、後端板に垂直な方向における鉗子の寸法を小さくすることができる。
【００１６】
第３発明に係る鉗子は、第２発明において、
前記固定部は、前記移動部を前記第１位置と前記第２位置との間で移動し得るように案内する案内部を備え、
前記案内部は、該固定部の長さ方向に沿って設けられて断面がＵ字状の案内溝を有し、
前記移動部は、前記案内溝内に収容されて該案内溝に沿って案内され、
前記案内溝は、前端が先端方向に開放されて、前記固定先端部における前記可動先端部側の面に臨んでおり、
前記固定部は、前記回動軸の両端を支持する両側壁を有し、
前記案内溝の前端部は、前記後端板を収容する収容部を前記両側壁とともに構成していることを特徴とする。
【００１７】
第３発明によれば、固定部の案内溝及び収納部に移動部と後端板の回動部側凹条又は凸条の部分及び後端板の回動軸側の部分を挿入し、後端板及び固定部に回動軸を通すことにより、容易に組み立てることができ、またその逆の動作により容易に分解できる鉗子を容易に構成することができる。すなわち、メンテナンスが容易な鉗子を、容易に構成することができる。
【００１８】
第４発明に係る鉗子は、第１〜第３のいずれかの発明において、
前記可動先端部が閉じられた状態において、前記回動軸及び前記移動部の移動方向に垂直な方向に見て、前後方向における前記回動軸の存在範囲は、前記回動部側凹条又は回動部側凸条の後端側の存在範囲内に含まれることを特徴とする。
【００１９】
第４発明によれば、可動先端部が開閉する間に生じる移動部の先端と固定部との距離の変動を小さくすることができる。
【図面の簡単な説明】
【００２０】
【図１】本発明の第１実施形態に係る鉗子の主要部の分解斜視図である。
【図２】図２Ａは図１の鉗子の固定部の正面図であり、図２Ｂはその平面図である。
【図３】図３Ａは図１の鉗子の移動部の正面図であり、図３Ｂはその平面図である。
【図４】図４Ａは図１の鉗子の回動部の正面図であり、図４Ｂはその平面図である。
【図５】図１の鉗子の操作部を含む全体の正面図である。
【図６】図６Ａは、図１の鉗子の開状態を示す図であり、図６Ｂは閉状態を示す図である。
【図７】本発明の第２実施形態に係る鉗子の主要部の分解斜視図である。
【発明を実施するための形態】
【００２１】
以下、図面を用いて本発明の実施形態を説明する。図１に示すように、本発明の第１実施形態に係る鉗子１は、固定先端部２に対して可動先端部３を開閉駆動し得るように構成される。この鉗子１は、関節鏡下で行われる半月板切除術に好ましく用いられ、固定先端部２及び可動先端部３は、半月板切除用にデザインされている。
【００２２】
鉗子１は、先端に上述の固定先端部２を有する固定部４と、固定部４上で長さ方向に移動し得るように案内される移動部５と、上述の可動先端部３を有して固定部４により軸孔１７及び回動軸６を介して回動自在に支持される回動部７とを備える。固定部４、移動部５及び回動部７は、ほぼ矩形状の断面形状を有し、これらを組み合わせて可動先端部３を閉じた状態の鉗子１の先端側の外形は、ほぼ矩形状の断面形状を有する。
【００２３】
移動部５は、固定部４上で、第１位置Ｐ１（図６Ａ参照）とこれよりも先端側の第２位置Ｐ２（図６Ｂ参照）との間で移動し得るように案内される。鉗子１は、移動部５が第１位置Ｐ１に移動したときに可動先端部３が開状態となり、移動部５が第２位置Ｐ２に移動したときに可動先端部３が閉状態となるように構成される。
【００２４】
図２Ａ及び図２Ｂに示すように、固定部４は、移動部５を第１位置Ｐ１と第２位置Ｐ２との間で移動し得るように案内する案内部８を備える。案内部８は、図２Ａにおける上方に開放しており、断面がＵ字状の案内溝９により構成される。案内溝９は、固定先端部２の上面とほぼ同レベルの底面を有する。移動部５は、案内溝９内に収容し得る寸法の断面形状を有し、案内溝９に沿って案内される。
【００２５】
案内溝９の先端は、固定先端部２側に開放されており、固定先端部２の上面（可動先端部３側の面）に臨んでいる。移動部５が固定部４により案内されている状態において、移動部５及び固定部４の上面は、ほぼ同レベルに位置する。
【００２６】
案内部８の先端面８ａは、ほぼ回動軸６の中心軸線を中心とする円弧状の面（部分円筒面）となっている。回動部７における可動先端部３の後端において後述の後端板１４に段差を有して接続している部分の段差面３ａは、案内部８の先端面８ａに対応した円弧状の面となっている。
【００２７】
固定部４における固定先端部２の後方に隣接する部分には、案内溝９の前端部と、その下側に形成された溝状の部分とで、回動部７の後端部（後述の後端板１４）を収容する収容部１０が形成されている。すなわち、固定部４は、回動軸６の両端を支持する両側壁を有し、案内溝９の前端部は、収容部１０を該両側壁とともに構成している。
【００２８】
図３Ａ及び図３Ｂに示すように、移動部５の先端部は、先端側に開放したスリット状の凹部１１となっており、この凹部１１の両側の内壁に円弧形状を有する移動部側凸条１２が設けられる。各移動部側凸条１２の両側の円弧形状の側面（円弧面）は、移動部５の移動運動を回動部７の回動運動に変換するための円弧形状の駆動摺動面１３となっている。この円弧の中心は、ほぼ移動部５の上端面と同レベルに位置する。
【００２９】
図４Ａ及び図４Ｂに示すように、回動部７は、可動先端部３の後端側に隣接し、固定部４の収容部１０に収容される後端板１４を有する。後端板１４の両側には、移動部５の移動部側凸条１２に嵌合して摺動する円弧状の回動部側凹条１５が設けられる。回動部側凹条１５の両側の内壁は、移動部５の駆動摺動面１３に対応する従動摺動面１６となっている。
【００３０】
後端板１４における回動部側凹条１５の下方には、上述の固定部４により回動部７を回動自在に支持するための回動軸６が通される軸孔１７が設けられる。閉状態において可動先端部３の固定先端部２と接する接面１８に垂直な方向（移動部５の移動方向及び回動軸６に垂直な方向）に見て、前後方向における軸孔１７（回動軸６）の存在範囲は、移動部側凸条１２又は回動部側凹条１５の後端側の存在範囲Ｗ内に含まれる。
【００３１】
図５に示すように、固定先端部２に対する可動先端部３の開閉は、操作部２０を操作することにより行われる。操作部２０は、固定部４の後端部に固定された固定レバー２１と、上端部である作用点が移動部５の後端部に回動自在に連結された可動レバー２２とを備える。
【００３２】
可動レバー２２の支点は固定レバー２１に回動自在に連結される。固定レバー２１と可動レバー２２との間には、可動レバー２２を、移動部５を第１位置Ｐ１に位置するように付勢して可動先端部３を開状態に維持する板バネ２３が設けられる。
【００３３】
鉗子１は、移動部５の移動部側凸条１２に回動部７の回動部側凹条１５を嵌合させた状態で、固定部４の案内溝９及び収容部１０に移動部５と後端板１４の回動部側凹条１５の部分及び軸孔１７側の部分を挿入し、後端板１４及び固定部４の軸孔１７に回動軸６を通すことにより、容易に組み立てることができ、またその逆の動作により容易に分解できるように構成される。
【００３４】
この構成において、可動先端部３が開状態にあるとき、図６Ａに示すように、移動部５は、後端側の第１位置Ｐ１に位置する。すなわち、移動部５は、その移動部側凸条１２の駆動摺動面１３及び回動部７の回動部側凹条１５の従動摺動面１６を介して、回動部７の後端板１４を、第１位置Ｐ１に対応する後方位置に位置付けている。
【００３５】
このとき、操作部２０において、板バネ２３の付勢力に抗して可動レバー２２が固定レバー２１側に回動するように操作されると、可動レバー２２の作用点を介して移動部５が、固定部４の案内部８に従って、先端側の第２位置Ｐ２に向けて移動する。これに伴って、移動部５を移動させる力が、駆動摺動面１３及び従動摺動面１６を介して回動部７の回動方向の力に変換されて回動部７に伝達され、回動部７が、可動先端部３が開く方向に回動する。これに伴って、従動摺動面１６の円弧形状の中心も、回動軸６の中心軸線の周りで回動する。これに応じて、移動部５の先端部と固定部４との相対位置もわずかに変動する。
【００３６】
移動部５が第２位置Ｐ２に到達すると、図６Ｂに示すように、回動部７の可動先端部３が固定部４の固定先端部２に接触し、閉状態となる。この状態で、さらに可動レバー２２が固定レバー２１側に押されると、その押圧力に応じた圧力が可動先端部３と固定先端部２との間に加わる。これにより、半月板の切除をなし得るに十分な力を可動先端部３と固定先端部２との間に加えることができる。
【００３７】
その後、可動レバー２２を押す力を弱めることによって、板バネ２３の付勢力により移動部５を第１位置Ｐ１に戻し、可動先端部３を開状態に戻すことができる。
【００３８】
本実施形態によれば、円弧形状を有する移動部側凸条１２及び回動部側凹条１５を介して移動部５の運動を回動部７の回動軸６周りの回動運動に変換するようにしたので、従来のように移動部及び回動部間の力の伝達が回動ピンを介して行われる場合に比べて、移動部側凸条１２及び回動部側凹条１５部分の部材に大きい負荷（応力）をかけることなく、より大きい力を移動部５から回動部７に伝達することができる。
【００３９】
また、移動部側凸条１２及び回動部側凹条１５の円弧形状（円弧面）の中心は、移動部側凸条１２及び回動部側凹条１５を挟んで、回動軸６と反対側に位置するので、上述のより大きい力の伝達を達成しながら、回動軸６から移動部側凸条１２及び回動部側凹条１５に向かう方向の寸法を、コンパクトに維持することができる。その分、回動軸６の径をより大きくし、その強度や耐久性を向上させることもできる。
【００４０】
したがって、コンパクトでかつ可動先端部３と固定先端部２との間の大きい押圧力に十分耐え得る半月板切除術に適した鉗子１を得ることができる。すなわち、大きい把持力や大きい切断力が要求され、かつ術野が狭い場合でも支障なく使用できる鉗子１を提供することができる。
【００４１】
また、案内部８を上記の案内溝９で構成し、回動部７の後端板１４を上記の収容部１０に収容するようにしたので、容易に鉗子１の分解及び組立を行うことができる。これにより、鉗子１のメンテナンスが容易となる。
【００４２】
また、可動先端部３の閉状態において、回動軸６及び移動部５の移動方向に垂直な方向に見て、前後方向における回動軸６の存在範囲が、移動部側凸条１２又は回動部側凹条１５の後端側の存在範囲内に含まれるので、可動先端部３が開閉する間に生じる移動部５の先端と固定部４との間の距離の変動を小さくすることができる。
【００４３】
図７は、本発明の第２実施形態に係る鉗子２４の分解斜視図である。図７に示すように、鉗子２４の回動部２５の後端板２６は、従動摺動面１６を有する回動部側凹条１５を片面にのみ有し、移動部２７の先端部には、該片面に対向する片面を有する先端板２８が設けられる。この先端板２８の片面には、従動摺動面１６に対応する駆動摺動面１３を有する移動部側凸条１２が設けられる。固定部４や回動軸６としては、回動部２５及び移動部２７の寸法に合わせて、第１実施形態の場合よりも案内溝９の幅などの寸法が小さいものが用いられる。他の構成及び作用は、第１実施形態の場合と同様である。
【００４４】
これによれば、後端板１４の両面に回動部側凹条１５を有し、移動部５の凹部１１の内壁に対応する２つの移動部側凸条１２を有する第１実施形態の場合に比べて、後端板２６及び先端板２８の板面に垂直な方向における鉗子２４の寸法を、小さくすることができる。
【００４５】
以上、本発明の実施形態について説明したが、本発明はこれに限定されない。例えば、回動部７に回動部側凹条１５を設け、移動部５に移動部側凸条１２を設ける代わりに、回動部７に回動部側凸条を設け、移動部５に移動部側凹条を設けてもよい。
【００４６】
また、固定先端部２及び可動先端部３は、半月板切除用にデザインされたものに限らず、把持用などにデザインされたものであってもよい。この場合も、コンパクトな構成で、大きい把持力などに十分耐え得る鉗子を提供することができる。
【符号の説明】
【００４７】
１、２４…鉗子、２…固定先端部、３…可動先端部、４…固定部、５、２７…移動部、６…回動軸、７、２５…回動部、８…案内部、９…案内溝、１０…収容部、１１…凹部、１２…移動部側凸条、１３…駆動摺動面、１４、２６…後端板、１５…回動部側凹条、１６…従動摺動面、１７…軸孔、１８…接面、２０…操作部、２１…固定レバー、２２…可動レバー、２３…板バネ、２８…先端板。
【図１】
2018089076.tif 000003
【図２】
2018089076.tif 000004
【図３】
2018089076.tif 000005
【図４】
2018089076.tif 000006
【図５】
2018089076.tif 000007
【図６】
2018089076.tif 000008
【図７】
2018089076.tif 000009